(57)【要約】      （修正有）【課題】吸震、弾性、サポートの機能を兼ね備える太極の調和を理念とするインソールを提供する。【解決手段】太極の調和を理念とするインソールは、上クッション体１、下クッション体２、サポート体３の三者が複合して構成される。上クッション体１は足掌の前外側位置に対応して、下方へと突出し、Ｓ形に類似した吸震ブロック１１を設置し、下クッション体２は上クッション体１の吸震ブロック１１に相対し、足掌前内側位置にＳ形に類似した弾性ブロック２１を設置し、吸震と弾性の、調和のとれたブロック配分により、インソールは、歩行時の足部の動態ニーズに、さらに接近することができる。Ｕ形に類似したサポート体３は、硬度が比較的高い材質により、下クッション体２の、内足弓２３からかかと２４までの区域に固定し、かかと２４を保護し、内足弓２３をサポートする二重の作用を備える。【選択図】図１
0003174598.tif 000002
【実用新案登録請求の範囲】
【請求項１】
太極の調和を理念とするインソールは、上クッション体、下クッション体、サポート体の三者が複合して構成され、
前記上クッション体は、足掌の前外側位置に対応して、下方へと突出し、S形に類似した吸震ブロックを設置し、
前記下クッション体は、前記上クッション体の吸震ブロックに相対し、足掌前内側位置に、S形に類似した弾性ブロックを設置し、
前記サポート体は、硬度が比較的高く、U形に類似し、前記下クッション体の、内足弓からかかとまでの区域に固定してサポートし、
相互に対応するS形に類似した吸震ブロックと弾性ブロックは、区画線を挟んで、太極図に非常に類似した図柄を形成し、吸震と弾性の、調和のとれたブロック配分を利用して、インソール全体は、歩行時の足部の動態ニーズに、さらに接近することができることを特徴とする太極の調和を理念とするインソール。
【請求項２】
前記上クッション体のS形に類似した吸震ブロック、前記下クッション体底面及び前記サポート体底面には共に、波浪式顆粒を設置することを特徴とする請求項１に記載の太極の調和を理念とするインソール。
【考案の詳細な説明】
【技術分野】
【０００１】
本考案はインソールに関し、特に太極の調和を理念とし、吸震、弾性、サポートの機能を兼ね備えるインソールに関する。
【背景技術】
【０００２】
足が受ける圧力を緩和でき、エアクッション機能を備えると謳うインソールは、市場でさまざまに見受けられる。それらの目的は、弾性を備えて吸震し、足弓を支えるなどにより、足の快適性を高めることである。
【０００３】
特許文献１に開示する気圧インソールは、靴内のステップ面に設置するクッション体、クッション体下表面に間隔を開けて設置する多数の中空状柱体を備える。ステップ面、クッション体の下表面、及び各柱体の内壁面は一緒に、対応する第一エアチューブを画定する。柱体が力を受けて変形すると、各柱体は、外へと突出して変形する。これにより、柱体に隣接する外壁面は相互に接触し、ステップ面とクッション体下表面は一緒に、第二エアチューブを形成する。第一、二エアチューブにより、気圧インソールは、弾性吸震効果を備える。
【０００４】
特許文献２に開示する保健吸震インソールは、発泡体、或いはシリコンゴム弾性材質により、靴底輪郭に合わせて、皮革表面を結合させ、インソール体を形成する。インソールの足掌と足弓部との間は、楕円状の凹凸立体部で、同時に、インソール前端部位には、多数の円形凸粒及び通気孔を設置する。さらに、インソール底部に、大きさが異なる多数の中空円柱体を設置し、足弓、かかと、凹凸立体部に対応して、サポート壁体を設置する。これにより、使用者の足底に対して、マッサージの保健効果を及ぼす他、吸震効果をも備える。
【０００５】
特許文献３に開示するインソールは、弾性に優れた材質を利用して発泡させて成型する。
インソールのかかとに対応する位置には、底縁に凹槽を設置し、凹槽は干渉機能を備える。
凹槽頂点端は、硬質体により覆い、硬質体は、凹槽頂点部面積より大きい。使用時には、硬質体により、使用者の足部の重量を、凹槽周囲に分散する効果を達成する。さらに、凹槽位置には、避振体を別に設置し、振動を吸収し干渉する機能を高めることができる。
【０００６】
特許文献４に開示するフレキシブルインソールは、発泡材質を運用して成型する柔軟なインソール本体である。本体背面の足掌とかかとなど部位には、弾性片、吸震片をそれぞれ設置する。しかも、弾性片表面には、複数の凹槽を設置する。これにより、インソールのフレキシブル性を高め、こうしてインソールは、足裏の踏み込む動作に対応して変化し、良好な弾性及び吸震効果を備える。
【０００７】
本考案出願人が所有する特許文献５に開示するインソールは、上クッションと下クッションを複合させて構成する。上クッションは、軟性材質により一体成型し、下クッションは、硬質材料により一体成型する。下クッションは、足掌右側、つまりかかとの骨の右側区域に欠口を設置する。上クッションは、欠口に対応して、下向きに凸ブロックを設置する。これにより、上クッションと下クッションは、凸ブロックと欠口により一体に結合される。複合後の軟質上クッションが具備する弾性吸震機能により、足部の圧力を緩和でき、硬質下クッションは、上方へと軟質上クッションを支え、下方への陥没を回避する効果を備える。こうして、良好な底部サポートと弾性吸震効果を提供することができる。
【０００８】
本考案申請人は専門の靴類メーカーとして、市場のニーズに応えるために、従来の構造とは全く異なる新しいインソールを開発する。
【先行技術文献】
【特許文献】
【０００９】
【特許文献１】台湾実用新案第M364446号明細書
【特許文献２】台湾実用新案第M297176号明細書
【特許文献３】台湾実用新案第M291226号明細書
【特許文献４】台湾実用新案第M280678号明細書
【特許文献５】台湾実用新案第M264892号明細書
【考案の概要】
【考案が解決しようとする課題】
【００１０】
本考案が解決しようとする課題は、従来の構造とは全く異なる新しい太極の調和を理念とするインソールを提供することである。
【課題を解決するための手段】
【００１１】
上記課題を解決するため、本考案は下記の太極の調和を理念とするインソールを提供する。太極の調和を理念とするインソールは、上クッション体、下クッション体、サポート体の三者が複合して構成され、該上クッション体は、足掌の前外側位置に対応して、下方へと突出し、S形に類似した吸震ブロックを設置し、該下クッション体は、該上クッション体の吸震ブロックに相対し、足掌前内側位置にS形に類似した弾性ブロックを設置し、吸震と弾性の、調和のとれたブロック配分により、インソールは、歩行時の足部の動態ニーズに、さらに接近することができ、U形に類似した該サポート体は、硬度が比較的高い材質により、該下クッション体の、内足弓からかかとまでの区域に固定し、かかとを保護し、内足弓をサポートする二重の作用を備える。
【考案の効果】
【００１２】
本考案の太極の調和を理念とするインソールは、太極の調和を理念とし、吸震、弾性、サポートの機能を兼ね備える。
【図面の簡単な説明】
【００１３】
【図１】本考案の立体分解図である。
【図２】本考案の別種の角度からの立体分解図である。
【図３】本考案の組合せ図である。
【考案を実施するための形態】
【００１４】
本考案の立体分解図、別種の角度からの立体分解図である図１、２、及び本考案の組合せ図である図３に示すように、本考案太極の調和を理念とするインソールは、上クッション体１、下クッション体２、サポート体３の三者が複合して構成される。
【００１５】
上クッション体１は、足掌の前外側位置に対応して、下方へと突出し、S形に類似した吸震ブロック１１を設置する。下クッション体２は、上クッション体１の吸震ブロック１１に相対し、足掌前内側位置に、S形に類似した弾性ブロック２１を設置する。
【００１６】
相互に対応する吸震ブロック１１、弾性ブロック２１は、区画線を挟んで、太極図に非常に類似した図柄を形成する。本考案が太極図により伝えようとする設計理念は、太極が理想とする動と静の境地の達成である。すなわち、吸震と弾性の、調和のとれたブロック配分を利用して、インソール全体は、歩行時の足部の動態ニーズに、さらに接近することができる。
【００１７】
上クッション体１と下クッション体２の両者は共に、上方へと突出する水滴形蹠骨クッション１２、２２を設置する。
【００１８】
さらに、下クッション体２は、内足弓２３からかかと２４の位置まで延伸する。該区域のサポート性能を増強するため、特別に、硬度が比較的高いU形に類似したサポート体３を、上記した下クッション体２の、内足弓２３からかかと２４までの区域に固定して設置する。こうして、一般のインソールにおける、かかと２４及び足弓のサポート性不足の問題を改善する。サポート体３のかかと２４に対する保護、及び内足弓２３へのサポートにより、使用者は、長く立っていても、歩行を長く続けても、最適なサポートを得ることができる。
【００１９】
この他、着用時に使用者に提供する全面的な減圧効果を増進するため、上クッション体１吸震ブロック１１、下クッション体２底面及びサポート体３底面には共に、波浪式顆粒４を設置する。これにより、着用の快適性を拡大できる他、しかも靴内の湿った熱気を流通させることができる。
【００２０】
本考案は、太極の調和理念を、インソールの吸震及び弾性の区域配分に運用する。これにより、歩行時の動態ニーズを満たすことができる。また、かかとの保護と足弓サポートの問題も効果的に解決されるため、使用者は、長時間立っていても、歩行しても、最も快適な着用効果を得ることができる。すなわち、本考案の太極の調和を理念とするインソールは、極めてシンプルな構造により、明らかな吸震、弾性、サポート、及び通風の効果を達成することができる。
【符号の説明】
【００２１】
１  上クッション体
１１  吸震ブロック
１２  蹠骨クッション
２  下クッション体
２１  弾性ブロック
２２  蹠骨クッション
２３  内足弓
２４  かかと
３  サポート体
４  波浪式顆粒
【図１】
0003174598.tif 000003
【図２】
0003174598.tif 000004
【図３】
0003174598.tif 000005